(57)【要約】【目的】円窓による引違窓を召合せ縦部材を内外召合せ中芯点にて連絡しその中芯回動にて、窓の機能である空気貫流開口を確保し４分の１及び２分の１の引違平面回動ができるサッシ窓を提供する。【構成】外枠Ｒ枠を内障子半円Ｒの２分割にての構造でありその縦召合せ中芯部に内、外を連結回動する軸芯を有し外枠Ｒ枠に内部障子、外部障子は凹凸の溝が、外枠レールにのみこみ障子が半回転回動することにより、所望の４分の１及び２分の１の窓開口が、開閉できる。【選択図】図１
2007063975.tif 000002
【特許請求の範囲】
【請求項１】
上枠、下枠、および左右の縦枠は円周一体の枠であり、この窓枠内外に開閉自在に支持された室内側および室外側の引違い形式の障子とを備えた円形サツシ窓であって
前記外枠は左右縦枠は左半径、右半径を中央に半分に分割した一体枠であり
前記障子部を外側より雨水等の侵入をふせぐ召合セ部を有し
障子部を案内する２本のレール部とこれら２本のレール部の間に平行に設けられた側壁部とを備え、レール下部には水抜穴があり、レール部は４周同形状にて円周内外の２本レールは一体の外枠に形成され
前記障子は半円窓の形成にて、その召合せ中芯に軸芯に内外障子を連結しレールガイドにしたがって障子部が平面回動する形態の円形サツシ窓
【請求項２】
前記下枠は室内側、室外側の側壁部を備え、レール下方部には水抜のテーパ形状の壁が備えてあり、その中央下部に水抜アナがあり、内外障子部材は同一の高さを設定し半円Ｒ部障子にはＲ部に縦気密材を設けられ、さらに半円Ｒ部の外部障子縦召合せには円中芯点に軸受金具が埋設されており、自由自在に平面回動をなす。
縦召合せ気密材を有し、障子開動と共にゆりかご状態にて室内側障子はレールガイドにそって作動し、さらに外部障子は時計逆回動にて作動し円形上部は開放される請求項１に記載のサツシ窓。
【請求項３】
前記窓は円平行運動の作用を構成したものであり、障子部召合中央部位には回動及び気密を保持する回転金具を備え障子部はＲ枠に案内されたレールガイドにて４分の１開口、２分の１開口の空気貫流が可態な円形窓。
【請求項４】
前記障子は半円形状障子の召合せ上部、下部に組込れた戸車を有し
枠レールと障子の隙間はプラ形成のフレ止材及びラックが挿入されさらに適度の半円回動装置を有し開動の簡便を機能する
請求項１に記載のサッシ窓。
【請求項５】
前記外枠外部にはサッシ見付方向に固定形状のアミ戸を備えた
請求項１記載のサッシ窓
【発明の詳細な説明】
【技術分野】
【０００１】本発明は円窓の回動による引違窓であり、詳しくは外枠平面Ｒに対し左右の半円障子を有し、その障子の召合せ中芯に左右の半円障子を軸芯金物にて連絡し、外枠Ｒ形状の枠にレール上に障子が平面回動作用をなし開成できる窓構造に関するものである。
【背景技術】
【０００２】各種建築物等の窓及び入口には多様なバリエーショの窓等が設けられている。
機構及び形は多種である。しかしその一般的な形は四角形、円形、三角形等のサツシ窓であり、その機能も多様であるが最近の建築の多様性及び建築の個別化の個性に限界があり外観の美観等に仕様の多様化に伴い、さらに改善が望まれている。【０００３】しかし、円窓には軸回窓等のバリエーションは現存するが引違窓はコーナ部が四角のため横にスライドするので可動が簡易であるが円窓はスライド作用をなさないので現状に至り、多様化及び美観上の問題からも開閉自由な円窓引違が必要である。
【特許文献１】特開平  公報
【発明の開示】
【発明が解決しようとする課題】
【０００４】
2007063975.tif 000003
及び４角形であり、一般的には左右スライドの引違窓でありサッシ外観の姿にはおのずと機能の限界があった。【０００５】本発明はこうした問題を解決し、円窓による引違開成を所望の窓空気開口部を４分の１及び２分の１に開放できることを目的とし、さらに住居衣掌の美観性を高めるサツシ窓を目的とする。
【課題を解決するための手段】
【０００６】係る目的を解決するために、本発明のうち請求項１記載の発明は外枠の開口部を円一周を内外凸のレールガイドに凹状障子戸先を嵌込み外枠レールにて回転回動される引違窓であり、左右障子中芯部の召合せには連結金具が設置され、その中芯をコンパスの円運動回転にで回転回動される構成を採用した。【０００７】このように外枠と障子が円中芯を軸点に回動することにより引違窓、片引窓、半円窓の円を構成するサッシ窓が可能であり上記、Ｒ部を両袖とした中央部直線によるパイパス窓も構成されバリエーションも多様となった。【０００８】また、請求項２に記載の発明は、サッシ窓の大きさによって外枠、及び内障子の荷重がことなるため、内障子はレールガイドによって回動するが安全性のうえからも、小さい窓は内障子とレール間に適度な、プラスチクによる機密材を使用し、さらに大きい窓にはその回動をスムーズにするため内障子内に埋込のプラスチックによる歯車受を設け、外枠下部には歯車を設置にその回動により、障子が回動をなすことを同時に解決した。【０００９】また、請求項３に記載の発明は、外枠開口部レールに内障子が円中芯点にて回転回動するため、内、外障子召合せ部を連結し、その召合せ部に適度なスペーサを設け、内部側より軸芯となるピポットを差込み一対の障子枠とした。そのため風圧等の問題、及び強度性を高め気密性も同時に高めることができる。【００１０】また請求項４に記載の発明は、外枠レールに凹状の歯車受を設けフレ止メ材と一体化したプラスチック材を埋込み、所望の任意の位置にて窓開成が出来るように歯車の回動にて連動運動回転開成し４５度、９０度、１８０度開成が出来る。【００１１】また、請求項５の記載の発明は、外枠に後付用のパーツであるフレームを取付、円窓のアミ戸を設けた。その場合、半円及び円形のアミ戸フレームが可能であり、用途により、美観上の問題を解決し同時に機能性を高めた。【００１２】また、請求項１に記載の発明は円運動による開成構造サッシであるため適度な位置にて外枠レールに凹状のプラスチックストッパーが必要であり窓の姿により自在位置にて設置し、外観、内観よりは美観上には問題がなきよう設置した。
【発明の効果】
【００１３】本発明に係る円窓回動開閉構造は、外枠の開口部を内外障子が召合せ中芯を基点として軸芯回動が、レールガイドにしたがって開閉するものであり、その隠蔽された固定金具は内外障子縦召合部に連結され、その障子戸先に戸車が設けられその戸車の部位には半Ｒ障子にレールガイドを案内する凹状のラックが埋込まれその中央下部及び両サイド枠に歯車装置が設けられ、開閉が自由自在に追従可動するサッシ窓であり、従来のように障子自重を下部に負荷するのではなくレールガイドを案内するプラスチックのラック兼及び召合せ凹状フレ止めにより適度な隙間にて全体荷加重を受けさらに戸車によりスムーズに開成でき建築デザイン的にも多様なサッシバリエーションを創作し、機能性を高めることが出来る。さらに召合せ軸芯金物は内部より軸棒にてセットするものであり従来のクレセントではなく、たとえガラス部が破損され、手を入れても外部からは取外は出来なく、全てのガラスを撤去しないと外部からの侵入は不可になり防犯上の問題も同時に解決した。
【発明を実施するための最良の形態】
【００１４】前記障子開成に伴い、片引窓は外部側障子は固定障子であり、その開成は大窓にては外部よりの出入開口の用途もあり歯車装置にて１８０度回転が必要であり水密及び機能性を高めた構造であるが、小窓円窓サッシは歯車装置使用の場合は左右の障子が円中芯に縦に左右均等に開成し上部半円が開口部となり手動小円窓は内部障子右側は４５度開成し、必要時は左側障子は時計逆回転にて更に４５度開成する。
したがって結果は丸窓上半径が空気取入開口部となり、そのため外枠内室、及び外室にプラスチックのレールをまたぐ凹状のストッパー戸当を埋設すと共に供回り防止の戸当を設置した。【００１５】図１において建物等の開口部に設けられたサッシ窓であって外枠１、障子３Ａ、障子３Ｂからなる円形サツシ窓で構成され３の軸芯にて内外障子は連結合され、開成自在に吊り込まれた障子は障子外円溝に埋設された歯車受５とその歯車受を連動する４の歯車と戸車６を備え、歯車回動と供に開成開閉作用をなし外枠１には障子ストッパー７が装着され、さらに障子外側には固定ストッパー８が埋設され開閉自在に吊り込まれた円窓平面回転構成されている。【００１６】また上記円窓は窓の開成には手動時は内障子３Ａは４５度（半回転）にて開成され外障子３Ｂも時計逆廻り回動にて４５度（半回転）にて開成され用途に応じて段階的に開成され、歯車装置６、使用の場合は円窓上部が左右供に開成される構成となっており大型窓の場合は出入口用途のため内障子２Ｂは１８０度回動となる
しかしてこの方式は手作動、手歯車装置、電動駆動となる。【００１７】また上記外枠１は同形の押出成、及び曲加工材であり、枠１はＲ加工等にて一対の成形枠でなくてもよく、上部水抜ルーズ穴８の下部に１８雨水等の水切材であり硬質プラスチック材を凹溝に差込んで一体の枠とする。
ただし円外枠１の下半分２分の１程度にて斜傾板構造にて雨水等は排出される。
また、ｊｏｉＮ部は正面より中央部縦左右半分にて成形されたプラスチックにて断面に適合したネコ下地として一体の枠を組立てる。【００１７】また上記外枠１には枠見込にあって、外障子３Ｂに適宜に接するウエーザストリップ（軟質系ヒレゴム）及び、モヘヤ材が凹部１３に挿入され気密性を保持すると供に水密性のうえから雨水等の侵入をふせぎ風圧による防音性能に対応する。
さらに外部下枠下部８は、下枠内室、外室の水を抜きだすルーズ穴である。【００１８】次ぎに外枠Ｒ形成された枠に内障子３Ａ及び外障子３Ｂを組込みその障子３Ｂはガラス溝を有し、戸先には戸車７を埋設し、さらに戸先には凹状のプラスチックラック７Ａフレ止及び歯車受をＲ形状に障子に装置しものを外障子３Ｂと召合せ中芯点より内部より５軸芯金具にて一体の回転障子を結合し外枠１のレールガイドに回動する作用をなす。【００１９】この枠及び障子は召合せ中芯軸にて連結されていて、サッシ下部には歯車装置６が必要外の障子回動を規制制御をして常時ストッパーの役割をなしており外部からの侵入を防げ、従来のクレセント等による解除は出来ないので防犯上に有意である。【００２０】次に障子３Ｂはサッシの寸法により耐風圧による召合せ強度が必要であり室内側に召合せ形状が大きくなる。これはサッシ強度の他にガラス強度が大であり本来、外枠と障子は、一対の構造になっており、ガラスの風圧によるはらみ破損を防ぐものであり、この縦召合に鉄材による補強も可能である【００２１】このような本実施形態によれば多様なバリエーション及び機構が発展し前述の効果と略同様の効果を奏する片引窓図▲８▼を構成することができさらにこの片引窓は戸車不要にて円窓にてころがり開成する作用もありＦｉｘ窓に一見して全開成の円窓になる。【００２２】さらに図９（Ａ）は半円窓によるサッシ窓であり上弦円Ｒにて下方は垂直枠でありこの枠に内外障子を召合せ下部にて連結し、回動をすれば（Ｂ）２分１の開成が出来下枠垂直構造により再仕舞等も優れた機能となる。【００２３】また図１０は戸先、枠先Ｒ形状にて戸尻は正方形にて開成する円引違窓であり、窓開放時はＲ障子部が円を形成するデザインがあり美観上からも有意なサッシ窓である。
また、空気貫流からも機能性が有意である。【００２４】さらに図１１は戸先、枠先Ｒ形状にて中央部は上下枠及び障子は垂直にて召合せを連結回転機構にすると両袖部Ｒ部は上部は平面積２分の１の開成窓になり、縦来の引違窓による２分の１の開口開成が確保される機能となる。
（回転型バイパス窓）【００２５】また図１２は上記バイパス窓をタテ型にすることで、上げ下げ窓となりこれにラセン円筒状の上下制御装置を室外側側壁、室内側側壁の凹部に連絡し上下可動障子の一定及び所望位置にて障子位置は停止し美観上にも向上したバイパス型の上下窓となる。
（Ｒ付上下窓）【００２６】なお、本発明は、前記実施形態に限定されるものではなく、本発明の目的を達成できる他の構成等を含み以下に示すような変形等も本発明に含まれる。
例えば前記第１実施形態のサッシ外枠１では、一体の押材部材を形成されており、これらはＲ曲加工機械の均一圧力にて縦長押出機をＲ曲するのであってＲ整形精度により、上部をフラット平板板と見込部を平面Ｒに切抜した板状を溶接及び接着して一つの一体化した枠組となる構成もあり例えばレール部のＲ曲加工はＬ型をＲ曲して接着する方法もある。【００２７】また前記外枠１を長方形の中空パイプをＲ曲加工し、外側壁、内側壁部を一つの見込枠として階段構造として整形することが出来、雨水等の処理機態を増すと共に水密性、機密性も高めることが可能である。【００２８】さらにアルミ部材に限ず、上記方法にてステンレス及びスチール製の窓も製作可能であり、材質に関係なく、さまざまな防火性を有した、消防法（６０分耐火）をクリアーしたサッシ窓が可能であり本願発明の円窓による多機能の目的を達成することができる。【００２９】また障子縦召合下部のラックと歯車の設置ポケットは障子見付の大きさによりおのずと歯車径が限定されるためラックの位置をガラス下部障子ポケット底上に適宜に設置されるので障子形状を他に形成することもよい。【００３０】その他、本発明を実施するための最良の構成、方法、組合せなどは以上の記載で開示されているが、本発明は、これ等に限定されるものではない。
すなわち、本発明は、主に特定の実施形態に関して特に図示されかつ説明されているが、本発明の意図とする円窓開成による技術的思想および目的の範囲から逸脱することなく、以上述べた実施形態に対し、形状、材質、材量、数量、その他の詳細な構成において、製作者が様々な変形を加えることができるものである。
従って、上記に開示した形状、材質などを限定した記載は本発明の理解を容易にするために例示的に記載したものであり本発明を限定するものではないから、それらの形状、材質、或は加工などの限定の一部もしくは全部の限定を外した部材の名称での記載は、本発明に含まれるものである。
【産業上の利用可能性】
【００３１】以上に述べたように、本発明のサッシ窓は、円窓による従来のバリエーションを多様な住居、建築物の目的意識により様々な姿衣掌を有しデザイン、機能（運動）ともサッシ窓の向上を図ることが出来るという効果がある。
【図面の簡単な説明】
【００３２】
【図１】本発明に係る（Ａ）大窓円窓正面図である  （Ｂ）円窓作用図である。
【図２】    〃      （Ａ）小窓円窓正面図である  （Ｂ）作用図  （Ｃ）作用図
【図３】    〃            円窓歯車装置使用の場合の（Ａ）正面図  （Ｂ）作用図  （Ｃ）作用図
【図４】    〃            回動装置である
【図５】    〃            軸芯固定金具図である。（Ａ）平面図  （Ｂ）断面図
【図６】    〃            断面図である
【図７】    〃            平面図である
【図８】    〃            円窓模倣図である。（片引窓）（Ａ）姿図である  （Ｂ）平面図
【図９】    〃            （Ａ）半円窓姿図  （Ｂ）作用図
【図１０】    〃            円窓引違窓である。（Ａ）姿図である  （Ｂ）作用図
【図１１】    〃            円窓模倣図である（片引横回転窓）  （Ａ）姿図である  （Ｂ）作用図
【図１２】    〃            円窓模倣図である（バイパス窓）  （Ａ）姿図である  （Ｂ）平面図である。（Ｃ）作用図  （Ｄ）作用図平面
【図１３】    〃            円窓上下窓の模倣図である。（Ａ）姿図  （Ｂ）タテ断面  （Ｃ）作用姿図  （Ｄ）作用タテ断面
【符号の説明】
【００３３】１        円窓
２        枠
２Ａ      枠内水切
３Ａ      内障子
３Ｂ      外障子
４Ａ      内召合せ
４Ｂ      外召合せ
５        軸芯金具
６        回動装置
７        戸車
７Ａ      ラック
８        水抜ルーズ穴
９        戸当スリッパー
１０      ヒレゴム
１１      ガラス
１２      ビードゴム
１３      サッシポケット凹ミゾ
１４      クレセント
１５      アミ戸
１６      アミ戸金具
１７      防虫アミ
１８      水切板
１９      レール
２０      回動装置
２１      歯車
２２      軸棒
２３      ワッシャー
２４      歯車
２５      ラック
２６      固定台座
２７      ハンドル受座
２８      ハンドル
２９      化粧カバー
３０      台座
３１      台座受側
３２      軸棒
３３      ベアリング
３４      ネジ山
３５      ネジミゾ
３６      キャップ
【図１】
2007063975.tif 000004
【図２】
2007063975.tif 000005
【図３】
2007063975.tif 000006
【図４】
2007063975.tif 000007
【図５】
2007063975.tif 000008
【図６】
2007063975.tif 000009
【図７】
2007063975.tif 000010
【図８】
2007063975.tif 000011
【図９】
2007063975.tif 000012
【図１０】
2007063975.tif 000013
【図１１】
2007063975.tif 000014
【図１２】
2007063975.tif 000015
【図１３】
2007063975.tif 000016